(57)【要約】      （修正有）【課題】課金を可能とするための情報を作成する異種網接続ゲートウェイを提供する。【解決手段】異種網接続ゲートウェイ（３）は、第一ネットワークに接続された端末と第二ネットワークに接続された端末が通信する場合に、第一ネットワークで使用される信号を第二ネットワークで使用される信号へ変換し、第二ネットワークで使用される信号を第一ネットワークで使用される信号へ変換する変換部と、変換部（４、５）が、信号を変換する変換時間もしくは変換するデータ量の少なくともいずれかを含む変換処理情報を検出する検出部と、第一ネットワークもしくは第二ネットワークの少なくともいずれかと接続され、かつ、変換処理情報を、第一ネットワークもしくは第二ネットワークの課金システムに送信するネットワーク接続部と、を具備する。【選択図】  図１
2004222009.tif 000002
【特許請求の範囲】
【請求項１】
第一ネットワークと、前記第一ネットワークと異なる信号フォーマットを使用する第二ネットワークとを接続するゲートウェイであって、
前記第一ネットワークに接続された端末と前記第二ネットワークに接続された端末が通信する場合に、前記第一ネットワークで使用される信号を前記第二ネットワークで使用される信号へ変換し、前記第二ネットワークで使用される信号を前記第一ネットワークで使用される信号へ変換する変換部と、
前記変換部が信号を変換する変換時間もしくは変換するデータ量の少なくともいずれかを含む変換処理情報を検出する検出部と、
前記第一ネットワークもしくは前記第二ネットワークの少なくともいずれかと接続され、かつ、前記変換処理情報を、前記第一ネットワークもしくは前記第二ネットワークの課金システムに送信するネットワーク接続部と、
を具備する、
異種網接続ゲートウェイ。
【請求項２】
前記変換部は、呼接続のシグナリングによる呼処理信号、音声コーディックによる音声信号、画像コーディックによる画像信号の少なくともいずれかを変換する、
請求項１に記載された異種網接続ゲートウェイ。
【請求項３】
前記変換部は、前記呼処理信号を変換処理するシグナリングゲートウェイ部と、前記音声信号および前記画像信号を変換処理するメディアゲートウェイ部と、を具備し、
前記検出部は、前記メディアゲートウェイ部の変換処理における変換処理情報を検出する、
請求項２に記載された異種網接続ゲートウェイ。
【請求項４】
前記呼処理信号の変換は、Ｑ．９３１による信号とＳＩＰによる信号の変換であり、
前記音声信号の変換は、ＡＭＲによる信号とＧ．７２３．１による信号の変換であり、
前記画像信号の変換は、ＭＰＥＧ４による信号とＨ．２６３による信号の変換である、
請求項２または３に記載された異種網接続ゲートウェイ。
【請求項５】
発呼処理を行う第一端末と、
前記第一端末の発呼処理に応答する第二端末と、
前記第一端末が接続される第一ネットワークと、
前記第二端末が接続される第二ネットワークと、
前記第一ネットワークと前記第二ネットワークを接続するゲートウェイと、
を具備し、
前記第一ネットワークと前記第二ネットワークは異なる信号フォーマットを使用し、
前記第一ネットワークは、課金システムを具備し、
前記ゲートウェイは、前記第一端末と前記第二端末の通信において、前記第一ネットワークからの信号を前記第二ネットワークの信号フォーマットに合うように変換して前記第二ネットワークに送信し、前記第二ネットワークからの信号を前記第一ネットワークの信号フォーマットに合うように変換して前記第一ネットワークに送信し、さらに、変換した時間もしくは変換したデータ量の少なくともいずれかの情報を含む変換処理情報を検出し、前記課金システムに前記変換処理情報を送信し、
前記課金システムは、前記変換処理情報に基づいて前記第一端末のユーザに対して課金処理を行う、
異種網間通信課金システム。
【請求項６】
前記ゲートウェイは、前記第一端末と前記第二端末の接続成立後の変換処理情報を検出する、
請求項５に記載された異種網間通信課金システム。
【請求項７】
前記ゲートウェイは、音声コーディックと画像コーディックの少なくともいずれかの信号の前記変換処理情報を検出する、
請求項５に記載された異種網間通信課金システム。
【請求項８】
第一ネットワークと、前記第一ネットワークと異なる信号フォーマットを使用する第二ネットワークと、を接続するゲートウェイが、前記第一ネットワークに接続された第一端末と、前記第二ネットワークに接続された第二端末の間の通信信号を、それぞれのネットワークで使用される信号フォーマットに合うように変換して接続するステップと、
前記ゲートウェイが、前記第一端末と前記第二端末の間の接続成立後に通信した信号を変換した時間もしくは変換したデータ量の少なくともいずれかの情報を含む変換処理情報を検出するステップと、
前記ゲートウェイが、前記変換処理情報を、前記第一端末もしくは前記第二端末のいずれかの発呼側の発呼端末が接続されたネットワークの課金システムに、送信するステップと、
前記課金システムが、前記変換処理情報に基づいて、前記発呼端末のユーザに従量課金もしくは定量課金するステップと、
を含む、
異種網間通信課金方法。
【請求項９】
前記変換処理情報は、音声コーディックの変換および画像コーディックの変換の少なくともいずれかの変換時間もしくは変換したデータ量の情報を含む、
請求項８に記載された異種網間通信課金方法。
【発明の詳細な説明】
【０００１】
【発明の属する技術分野】
本発明は、異種網を接続し、課金のために使用される情報を作成する異種網接続ゲートウェイと、当該異種網接続ゲートウェイを使用して課金を行うことができる異種網間通信課金システムに関する。
【０００２】
【従来の技術】
画像および音声の通信ができる第三世代電話（３Ｇ−３２４Ｍ）に代表される携帯電話と、Ｓｅｓｓｉｏｎ  Ｉｎｉｔｉａｔｉｏｎ  Ｐｒｏｔｏｃｏｌ端末（以下  ＳＩＰ端末）の間でのＴＶ電話による通話が行われる場合がある。
第三世代電話が接続される網（以下  ３Ｇ網）とＳＩＰ端末が接続されるインターネットサービスプロバイダ網（以下  ＩＳＰ網）は異なるネットワークであり、異なる信号フォーマットが使用されている場合がある。具体的には、呼接続方式および音声・画像コーディックが異なる場合がある。
【０００３】
３Ｇ網とＩＳＰ網を接続するために、ゲートウェイが設置される場合がある。ゲートウェイは、呼接続方式を変換し呼接続を行うためのシグナリングゲートウェイ（以下ＳＧＷ）機能と、異なった音声・画像コーディックを変換しメディア接続を行うためのメディアゲートウェイ（以下ＭＧＷ）機能を具備する。
ゲートウェイが、一方のネットワーク（網）から受信した信号を他方のネットワーク（網）の信号フォーマットに合うように変換して送信することで、異種網間での通信が可能である。
【０００４】
ＴＶ電話などの通信においては、呼処理を制御するＣ−Ｐｌａｎｅと、メディア通信のためのＵ−Ｐｌａｎｅとが使用され、異種網間ではＣ−Ｐｌａｎｅの制御方式やＵ−Ｐｌａｎｅのデータフォーマットが異なる。そのため、このような異種網間の通信を実現するには、両者の異なるＣ−Ｐｌａｎｅ／Ｕ−Ｐｌａｎｅをインターフェイスする必要があり、ＳＧＷでＣ−Ｐｌａｎｅの変換処理を、ＭＧＷでＵ−Ｐｌａｎｅの変換処理を行っている。
【０００５】
ある種のネットワーク、特にＩＳＰ網では、通話時間に基づく従量課金を行う課金システムを有しない場合がある。もしくは、ネットワークへの接続に対して課金する課金システム自体を有しない場合がある。これに対し、３Ｇ網への接続は、通話時間に応じた従量課金が一般的に行われている。このため、ＳＩＰ端末からの発呼による３Ｇ端末への通話に対し、発呼側のへＳＩＰ端末への課金が行えない場合がある。
【０００６】
また、ある種のネットワーク、特にＩＳＰ網では、パケット通信が用いられ、画像・音声データは、パケット化されて通信される。パケット化された画像・音声データのパスは一意に定まらないため、ある１回の通話量を全て把握することが困難な場合がある。
【０００７】
さらに、従来の音声通話では、固定電話同士であればＧ．７１１、ＰＤＣ同士であればＣＥＬＰを用いて音声符号化が行われ、それぞれ使用されるコーディックは通話端末に依存して一意に決定される。しかし、最近では各端末が複数のコーディックを有する場合があり、異種端末同士の場合には各端末の能力を比較して両者に共通なコーディックを選択するための能力交換が行われる場合がある。能力交換は、呼接続完了後に、音声・画像などメディアのパスであるＵ−Ｐｌａｎｅにより行われる場合が多い。さらに、能力交換のフェーズでＵ−Ｐｌａｎｅをデータが通過することで発呼側の課金システムでは課金が開始される場合がある。しかし、能力交換の結果両者が通話可能なコーディックがなかった場合、通話はできずに呼切断となる。能力交換にかかった時間が１秒であったとしても、例えば３分まではいくらという課金方式であれば、ユーザー同士は全く通話できなかったにも関わらず、能力交換のために３分の通話と同等の課金がおこなわれるという問題が発生する場合がある。
課金は、Ｅｎｄ  ｔｏ  Ｅｎｄ（端末―端末）で接続され、通信が可能になってから開始されることが好ましい。
【０００８】
端末装置が要求するサービスに応じたＩＰパケットをプロトコルの相違する複数のＩＰネットワークを介してサービスプロバイダに送信し、サービスプロバイダから複数のＩＰネットワークを伝送されるＩＰパケットを用いてサービスを端末装置に供給するネットワークシステムにおいて、複数のＩＰネットワークの間に設けられ、送信されるＩＰパケットのフォーマットを送信先のＩＰネットワークのフォーマットと一致するように変換するパケット交換手段を有することを特徴とするネットワークシステムの発明がある（例えば、特許文献１参照）。
【０００９】
少なくともユーザ端末とコンテンツサーバとがネットワークを介して接続され、ユーザ端末からの要求によりコンテンツサーバからユーザ端末にコンテンツデータを配信するデータ配信システムであって、ネットワーク介して接続され、ユーザ端末及びコンテンツサーバに対してディジタル識別情報を発行する認証装置と、ユーザ端末からの要求に応じて、コンテンツデータを当該ユーザ端末が処理可能な形式のデータに変換するデータ変換装置と、コンテンツサーバ及びデータ変換装置からの要求に応じて、コンテンツデータの配信及びコンテンツデータの変換に対応する課金を行う課金装置とを有し、ユーザ端末、データ変換装置及び課金装置は、認証装置からのディジタル識別情報に基づく相互認証に成功した場合に送受信することを特徴とするデータ配信システムが、開示されている（例えば、特許文献２参照）。
【００１０】
移動端末が接続可能でかつ各々通信方式の異なる複数の通信網からなり、複数の通信網各々がインタネットプロトコルを用いてインタネットに接続される通信システムであって、移動端末に対する課金情報の管理やサービスの提供を行う情報サービス網と、情報サービス網に設けられかつ移動端末がどの網内に存在するのかを常に管理して受信したデータを適切な網にインタネットを介して配送するＭｏｂｉｌｅ  ＩＰ（ＩｎｔｅｒｎｅｔＰｒｏｔｏｃｏｌ）のＨＡ（Ｈｏｍｅ  Ａｇｅｎｔ）装置と、複数の通信網各々に設けられかつ移動端末がその配下にいる時に当該移動端末の位置登録要求をＨＡ装置に送信するとともにＨＡ装置からインタネットを介して配送されたデータを移動端末に転送するＭｏｂｉｌｅ  ＩＰのＦＡ（Ｆｏｒｉｇｎ  Ａｇｅｎｔ）装置とを有し、ＨＡ装置とＦＡ装置との間の位置登録要求及びそれに対する応答とによって複数の通信網間の通信と複数の通信網間をまたがった通信の継続とを自在とするよう構成したことを特徴とする通信システムが開示されている（例えば、特許文献３参照）。
【００１１】
【特許文献１】
特開２００１−３５８７７７号公報
【特許文献２】
特開２００２−１７６６３７号公報
【特許文献３】
特開２００２−１７６４４５号公報
【００１２】
【発明が解決しようとする課題】
本発明の目的は、発呼側の端末が接続されるネットワークに、接続による課金システムがなくても、課金を可能とするための情報を作成する異種網接続ゲートウェイおよび、当該異種網接続ゲートウェイを使用して課金を行う異種網間通信課金システムを提供することにある。
本発明の他の目的は、発呼側の端末が接続されるネットワークでは従量課金することが困難な場合に従量課金を可能とするための情報を作成する異種網接続ゲートウェイおよび、当該異種網接続ゲートウェイを使用して課金を行う異種網間通信課金システムを提供することにある。
本発明の更に他の目的は、異種網間の通信において、通話前に能力交換を行う場合に、能力交換が成功してから課金を行うための情報を作成する異種網接続ゲートウェイおよび、当該異種網接続ゲートウェイを使用して課金を行う異種網間通信課金システムを提供することにある。
【００１３】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【００１４】
本発明の異種網接続ゲートウェイ（３）は、第一ネットワークと、第一ネットワークと異なる信号フォーマットやプロトコルを使用する第二ネットワークとを接続するゲートウェイであって、第一ネットワークに接続された端末と第二ネットワークに接続された端末が通信する場合に、第一ネットワークで使用される信号を第二ネットワークで使用される信号へ変換し、第二ネットワークで使用される信号を第一ネットワークで使用される信号へ変換する変換部（４、５）と、変換部（４、５）が、信号を変換する変換時間もしくは変換するデータ量の少なくともいずれかを含む変換処理情報を検出する検出部（２１）と、第一ネットワークもしくは第二ネットワークの少なくともいずれかと接続され、かつ、変換処理情報を、第一ネットワークもしくは第二ネットワークの課金システムに送信するネットワーク接続部と、を具備する。
【００１５】
本発明の異種網接続ゲートウェイ（３）の変換部（４，５）は、呼接続のシグナリングによる呼処理信号、音声コーディックによる音声信号、画像コーディックによる画像信号の少なくともいずれかを変換する。
【００１６】
本発明の異種網接続ゲートウェイ（３）の変換部は、呼処理信号を変換処理するシグナリングゲートウェイ部（４）と、音声信号および画像信号を変換処理するメディアゲートウェイ部（５）と、を具備する。
検出部（２１）は、メディアゲートウェイ部（５）の変換処理における変換処理情報を検出する。検出部（２１）は、メディアゲートウェイ部（５）に含まれる場合がある。
【００１７】
本発明の異種網接続ゲートウェイ（３）の呼処理信号の変換は、Ｑ．９３１による信号とＳＩＰによる信号の変換であり、音声信号の変換は、ＡＭＲによる信号とＧ．７２３．１による信号の変換であり、画像信号の変換は、ＭＰＥＧ４による信号とＨ．２６３による信号の変換である。検出部（２１）は、音声信号の変換および画像信号の変換の処理時間もしくは変換したデータ量を検出する。
【００１８】
本発明の異種網間通信課金システムは、発呼処理を行う第一端末と、第一端末の発呼処理に応答する第二端末と、第一端末が接続される第一ネットワークと、第二端末が接続される第二ネットワークと、第一ネットワークと第二ネットワークを接続するゲートウェイ（３）と、を具備する。
第一ネットワークと第二ネットワークは異なる信号フォーマットを使用する。
第一ネットワークは、課金システムを具備する。
ゲートウェイ（３）は、第一端末と第二端末の通信において、第一ネットワークからの信号を第二ネットワークの信号フォーマットに合うように変換して第二ネットワークに送信し、第二ネットワークからの信号を第一ネットワークの信号フォーマットに合うように変換して第一ネットワークに送信し、さらに、変換した時間もしくは変換したデータ量の少なくともいずれかの情報を含む変換処理情報を検出し、発呼側の課金システムに変換処理情報を送信する。
課金システムは、変換処理情報に基づいて、発呼側である第一端末のユーザに対して課金処理を行う。
【００１９】
本発明の異種網間通信課金システムのゲートウェイ（３）は、第一端末と第二端末の接続成立後の変換処理情報を検出する。
【００２０】
本発明の異種網間通信課金システムのゲートウェイ（３）は、音声コーディックと画像コーディックの少なくともいずれかの信号の変換処理情報を検出する。
【００２１】
本発明の異種網間通信課金方法は以下のステップを含む。
第一ネットワークと、第一ネットワークと異なる信号フォーマットを使用する第二ネットワークと、を接続するゲートウェイ（３）が、第一ネットワークに接続された第一端末と、第二ネットワークに接続された第二端末の間の通信信号を、それぞれのネットワークで使用される信号フォーマットに合うように変換して接続するステップ。
ゲートウェイ（３）が、第一端末と第二端末の間の接続成立後に通信した信号を変換した時間もしくは変換したデータ量の少なくともいずれかの情報を含む変換処理情報を検出するステップ。
ゲートウェイ（３）が、変換処理情報を、第一端末もしくは第二端末のいずれかの発呼側の発呼端末が接続されたネットワークの課金システムに、送信するステップ。
課金システムが、変換処理情報に基づいて、発呼側の端末のユーザに従量課金もしくは定量課金するステップ。
【００２２】
本発明の異種網間通信課金方法における変換処理情報は、音声コーディックの変換および画像コーディックの変換の少なくともいずれかの変換時間もしくは変換したデータ量の情報を含む。
【００２３】
【発明の実施の形態】
添付図面を参照して、本発明による異種網接続ゲートウェイおよび異種網間通信課金システムの実施の形態を以下に説明する。
【００２４】
図１に本発明における異種網間通信のシステムの概要が示される。
第三世代携帯電話（以下：３Ｇ端末）１が、第三世代携帯電話で使用される電話網（以下：３Ｇ網）１１に接続される。３Ｇ端末は、３Ｇ−３２４Ｍ端末に例示され、３ＧＰＰにより標準化が行われているモバイルマルチメディア用の端末であり、音声・画像を用いたＴＶ電話による通話が可能である。
【００２５】
インターネット網内に構成されるインターネットサービスプロバイダー網（以下：ＩＳＰ網）６にＳｅｓｓｉｏｎ  Ｉｎｉｔｉａｔｉｏｎ  Ｐｒｏｔｏｃｏｌ端末（以下：ＳＩＰ端末）１２が接続される。ＳＩＰ端末１２は、パーソナルコンピュータ（以下：ＰＣ）やＰＤＡ等に搭載されたソフトウェアがＳＩＰ（Ｓｅｓｓｉｏｎ  Ｉｎｉｔｉａｔｉｏｎ  Ｐｒｏｔｏｃｏｌ）により接続を行う端末である。ＳＩＰ端末１２も音声・画像によるＴＶ電話接続が可能である。ＳＩＰ端末はＰＣ上にソフトとして搭載されることが多く、そのＰＣはＩＳＰ網６に接続される。
ＳＩＰ端末１２は、ファイヤーウォールプロキシ１７を介してＩＳＰ網６に接続される場合がある。もしくは、ＳＩＰ端末１５は、無線ＬＡＮ１６を介してＩＳＰ網６に接続される場合がある。
【００２６】
３Ｇ網１１とＩＳＰ網６とを接続するためゲートウェイ３が設置される。ゲートウェイ３は、ＩＳＤＮ網を介して３Ｇ網１１と接続される場合がある。もしくは、ゲートウェイ３は、インターネット網を介してＩＳＰ網６と接続される場合がある。
【００２７】
ゲートウェイ３は、呼接続方式を変換し呼接続を行うためのシグナリングゲートウェイ（以下ＳＧＷ）４と、異なった音声・画像コーディックを変換しメディア接続を行うためのメディアゲートウェイ（以下ＭＧＷ）５を具備する。
ゲートウェイ３が、一方のネットワーク（網）から受信した信号を他方のネットワーク（網）の信号フォーマットに合うように変換して送信することで、異種網間での通信が可能である。
【００２８】
具体的には、通信において呼処理を制御するＣ−Ｐｌａｎｅと、メディア通信のためのＵ−Ｐｌａｎｅが使用される。異種網ではＣ−Ｐｌａｎｅの制御方式やＵ−Ｐｌａｎｅのデータフォーマットが異なる。このため、そのような異種網間の通信を実現するには、各網の異なるＣ−Ｐｌａｎｅ／Ｕ−Ｐｌａｎｅをインターフェイスする必要があり、ＳＧＷ４でＣ−Ｐｌａｎｅの変換処理を、ＭＧＷ５でＵ−Ｐｌａｎｅの変換処理を行っている。
【００２９】
３Ｇ端末１と、ＳＩＰ端末ソフトの１つであるＷｉｎｄｏｗｓ（登録商標）  Ｍｅｓｓｅｎｇｅｒを搭載したＳＩＰ端末１２とがＴＶ電話接続を行う場合、３Ｇ端末１側が、Ｑ．９３１呼処理，ＡＭＲ音声コーディック，ＭＰＥＧ４画像コーディックを使用するのに対し、ＳＩＰ端末１２側が、ＳＩＰ呼処理，Ｇ．７２３．１音声コーディック，Ｈ．２６３画像コーディックを使用する。各網の呼接続シグナリング方式はＱ．９３１⇔ＳＩＰ、音声コーディックはＡＭＲ⇔Ｇ７２３．１、画像コーディックはＭＰＥＧ４⇔Ｈ．２６３とそれぞれ異なる。
このためＳＧＷ４でＱ．９３１とＳＩＰの変換処理を、ＭＧＷ５でＡＭＲとＧ．７２３．１の変換処理、およびＭＰＥＧ４とＨ．２６３の変換処理を行う。
【００３０】
さらに、ゲートウェイ３は、変換処理を実施した時間もしくは変換処理したデータ量の少なくともいずれかを含む変換処理情報を作成し、発呼側のネットワーク（網）の課金システム（１３もしくは１４）に送信する。ただし。コレクトコールのように応答側に課金するように設定された通信であれば、変換処理情報を、応答側のネットワーク（網）の課金システムに送信することもできる。
【００３１】
図１では、３Ｇ網１１とＳＧＷ４間のＣ−Ｐｌａｎｅ信号を信号２、ＩＳＰ網６とＳＧＷ４間のＣ−Ｐｌａｎｅ信号を信号１０で示す。さらに、３Ｇ網１１とＭＧＷ５間のＵ−Ｐｌａｎｅ信号を信号７、ＩＳＰ網６とＭＧＷ５間のＵ−Ｐｌａｎｅ信号を信号８で示す。ただし、３Ｇ網１１とゲートウェイ３、および、ＩＳＰ網６とゲートウェイ３の間に、各々２つの回線あることを示すわけではなく、信号の種類を示している。
さらにゲートウェイ３内のＳＧＷ４、ＭＧＷ５はそれぞれ機能的なブロックを意味しており、実装に関してはそれぞれが物理的に分離されている場合と１つになっている場合がある。ＳＩＰ端末１２は、ＳＩＰ端末以外、例えばＨ．３２３端末でもよい。
【００３２】
ＩＳＰ網６は、ＩＳＰ網内課金システム１４を具備する場合がある。
ただし、ＩＳＰ網内課金システム１４は、ＳＩＰ端末１５，１２からのＩＳＰ網６への接続を検知して課金を行なうシステムもしくは、ＩＳＰ網６へのアクセスが許可された契約者（ＳＩＰ端末の使用者）から定額を課金するシステムのどちらでもよい。もしくは、契約者に対して課金を行なえるシステムであれば上記に限定されない。ＩＳＰ網内課金システム１４は、ゲートウェイ３からの変換処理情報により課金金額を決定し、契約者に対して課金を行なう。
これにより、ＩＳＰ網内課金システム１４は、契約者に対して課金を行なえるシステムであればよく、接続による従量課金システムを有していなくても課金を行なうことができる。
具体的には、一定料金を払うことでＩＳＰ網６への常時接続が可能な契約者が、ＳＩＰ端末１２を使用して３Ｇ網１１の３Ｇ端末１と接続する場合、ＩＳＰは契約者にＩＳＰ網６のアクセス権を与えるのみで、接続による課金システムを有していない場合があったが、ゲートウェイ３からの変換処理情報９ａを受信して課金するＩＳＰ網内課金システム１４を設けることで、異種網通信の課金を行なうことができる。
【００３３】
さらに、ＩＳＰ網内課金システム１４は、変換処理情報９ａに応じて課金の一部を、３Ｇ網１１の３Ｇ網内課金システム１３へ送金することができる機能を有する場合がある。このことにより、異種網間の接続において、発呼者が契約していない網を使用する場合でも、それぞれの網で課金を行なうことが可能である。
【００３４】
３Ｇ網１１は、３Ｇ網内課金システム１３を有する。３Ｇ網１１は電話網に代表されるので、通常、使用時間に応じた課金システムを有する。しかし、３Ｇ端末１から発呼してＳＩＰ端末１２と通信する場合、ＩＳＰ網６側でも従量課金もしくは定額課金したいときに、ゲートウェイ３からの変換情報９ｂを受信する事によりＩＳＰ網６を使用するための課金を行なうことが可能である。
さらに、３Ｇ網内課金システム１３も、変換処理情報９ｂに応じて課金の一部を、ＩＳＰ網内課金システム１４へ送金することができる機能を有する場合がある。このことにより、異種網間の接続において、発呼者が契約していない網を使用する場合でも、それぞれの網で課金を行なうことが可能である。
【００３５】
図２は、ゲートウェイ３の構成を示す。ゲートウェイ３は、演算部２０、記憶部２５、ＩＳＰ網終端部３０、３Ｇ網終端部３１を具備する。
【００３６】
演算部２０は、ＣＰＵを含む演算装置で、シグナリングゲートウェイ４、メディアゲートウェイ５、変換処理時間検出部もしくは変換処理量検出部２１（以下：変換処理検出部２１）を具備する。
【００３７】
シグナリングゲートウェイ４は、呼接続シグナリングの変換を行う。具体的には、シグナリングゲートウェイ４は、３Ｇ端末側で使用されるＱ．９３１処理の信号とＳＩＰ端末側で使用されるＳＩＰ処理の変換を行う。シグナリングゲートウェイ４は、記憶部２５に記憶されている呼接続シグナリング変換データ２６を参照して変換を行う場合がある。
図３に呼接続シグナリング変換データ２６の例が示される。
【００３８】
メディアゲートウェイ５は、コーディックの変換を行う。コーディックは音声コーディックと画像コーディックを含む。具体的には、メディアゲートウェイ５は、３Ｇ端末側で使用されるＡＭＲ音声コーディックとＳＩＰ端末側で使用されるＧ．７２３．１音声コーディックの変換、および、３Ｇ端末側で使用されるＭＰＧＥ４画像コーディックとＳＩＰ端末側で使用されるＨ．２６３画像コーディックの変換を行う。メディアゲートウェイ５は、記憶部２５に記憶されているコーディック変換データ２７を参照して変換を行う場合がある。
図４に、コーディック変換データ２７の例が示される。コーディック変換データ２７は、図４（ａ）に示される音声用と図４（ｂ）に示される画像用のデータを具備する。
【００３９】
変換処理時間検出部もしくは変換処理量検出部２１は、メディアゲートウェイ５でのコーディック変換処理の処理時間もしくは変換処理量（以下：コーディック変換処理の処理時間もしくは変換処理量を変換処理情報と記す）を検出し、発呼側の識別子と関連付けて記憶部２５に処理時間データもしくは処理量データ２８（以下：処理データ２８）として記憶する。
図５に処理時間と発呼側ＩＤおよび応答側ＩＤが関連付けられた処理データ２８の例が示される。
この変換処理情報は、終端部（３０もしくは３１）から発呼側の網内課金システム（１４もしくは１３）に送信される。
変換処理時間検出部もしくは変換処理量検出部２１は、メディアゲートウェイ５に含まれる場合もしくは、メディアゲートウェイ５が検出機能を有する場合がある。
【００４０】
記憶部２５は、データを記憶する記憶装置である。記憶部２５は、呼接続シグナリング変換データ２６、コーディック変換データ２７、処理時間データもしくは処理量データ２８（処理データ２８）を記憶する。
【００４１】
ＩＳＰ網終端部３０は、ＩＳＰ網６と接続される。ＩＳＰ網終端部３０が、インターネットを介してＩＳＰ網６と接続される場合は、インターネット網と接続される場合がある。ＩＳＰ網６からの信号はＩＳＰ網終端部３０に入力され、ＩＳＰ網６へ送出される信号はＩＳＰ網終端部３０から出力される。
３Ｇ網終端部３１は、３Ｇ網１１と接続される。３Ｇ網終端部３１が、ＩＳＤＮ網を介して３Ｇ網１１と接続される場合は、ＩＳＤＮ網と接続される場合がある。３Ｇ網１１からの信号は３Ｇ網終端部３１に入力され、３Ｇ網１１へ送出される信号は３Ｇ網終端部３１から出力される。
ＩＳＰ網終端部３０および３Ｇ網終端部３１は、ゲートウェイ３と各網とのインターフェイスをとる。
【００４２】
次に、図６、図７、図８を参照して、３Ｇ端末１から発呼してＳＩＰ端末１２と接続する場合の呼接続処理シーケンスが説明される。
３Ｇ端末１からＳＩＰ端末１２に対して接続が要求される信号が３Ｇ網１１に発信されることにより３Ｇ網１１は、相手先の識別子が異種網の端末に対する発呼であることを判断して、ゲートウェイ３に呼接続要求信号Ｓａ１を送信する。呼接続要求信号Ｓａ１は、３Ｇ網終端部３１に入力される。さらに、３Ｇ網終端部３１からシグナリングゲートウェイ４に呼接続要求信号Ｓａ２が送られる。
シグナリングゲートウェイ４は、発信された識別子を認証して呼接続応答信号Ｓａ３を３Ｇ網終端部３１に送出する。さらに、シグナリングゲートウェイ４は、呼処理信号Ｓａ４を３Ｇ網終端部３１に送出し、３Ｇ網終端部３１が３Ｇ網１１へが呼処理信号Ｓａ４を送出する。
さらに、シグナリングゲートウェイ４は、呼接続要求信号Ｓａ２を変換し、ＩＳＰ網終端部３０およびＩＳＰ網６を介して指定されているＳＩＰ端末１２へ呼接続要求信号Ｓａ６として送信する。ＳＩＰ端末１２は、呼接続要求信号Ｓａ６に応答して呼接続応答信号Ｓａ７を、ＩＳＰ網６およびＩＳＰ網終端部３０を介して、シグナリングゲートウェイ４へ送信する。シグナリングゲートウェイ４は、呼接続応答信号Ｓａ７を変換し、呼接続信号Ｓａ８として３Ｇ網終端部３１に送出し、３Ｇ網終端部３１が、呼接続信号Ｓａ９を３Ｇ網１１に送出する。３Ｇ網側は、呼接続信号Ｓａ９に応答して呼接続応答信号Ｓａ１０を送出し、３Ｇ網１１を介して３Ｇ網終端部３１で受信される。３Ｇ網終端部３１から呼接続応答信号Ｓａ１１がシグナリングゲートウェイ４に送出される。この信号の交換により、３Ｇ網１１側からの呼接続が完了する。
呼接続要求信号Ｓａ１から呼接続応答信号Ｓａ１１までは、Ｃ−Ｐｌａｎｅで行われる。
上記のように、シグナリングゲートウェイ４は、３Ｇ網１１で使用される呼接続要求信号Ｓａ２を、ＩＳＰ網６で使用される呼接続要求信号Ｓａ６に変換し、ＩＳＰ網６で使用される呼接続応答信号Ｓａ７を、３Ｇ網で使用される呼接続応答信号Ｓａ８に接続する。
【００４３】
呼接続が完了すると、メディアゲートウェイ５がＵ−ＰｌａｎｅデータＳｂ１を３Ｇ網終端部３１に送信し、３Ｇ網終端部３１から３Ｇ網側にＵ−ＰｌａｎｅデータＳｂ２が送出される。
【００４４】
次いで、Ｕ−Ｐｌａｎｅによる通信制御プロトコルを使用した能力交換のネゴシエーションが行われる。使用される通信制御プロトコルは、Ｈ．２４５に代表される。
３Ｇ網側から３Ｇ側制御データＳｃ１が３Ｇ網終端部３１に送付され、３Ｇ網終端部３１から、３Ｇ側制御データＳｃ２がメディアゲートウェイ５に送られる。
メディアゲートウェイ５の能力が対応可能であるかを含む３Ｇ側制御データ応答信号が３Ｇ網終端部３１を介して、３Ｇ側制御データ応答信号ＳＣ４として３Ｇ網側に送出される。メディアゲートウェイ５の能力が対応可能である情報を３Ｇ側制御データ応答信号が含めば、能力交換が成功したとしてネゴシエーションが完了する。
メディアゲートウェイ５の能力が対応不可能である情報を３Ｇ側制御データ応答信号が含めば、別の３Ｇ側制御データが送信されネゴシエーションを繰り返す。
３Ｇ側制御データの全てが、メディアゲートウェイ５で対応不可能であれば、ネゴシエーションが失敗となり接続は切断される。
【００４５】
ネゴシエーションが成功すれば、通話開始処理が行われる。
ネゴシエーションが成功すると、シグナリングゲートウェイ４が、呼接続処理信号を、ＩＳＰ網終端部３０およびＩＳＰ網６を介してＳＩＰ端末１２に送信する。ＳＩＰ端末１２から、呼接続処理応答信号Ｓｄ２が、ＩＳＰ網６およびＩＳＰ網終端部３０を介してシグナリングゲートウェイ４へ送信されることにより通話が開始される。
【００４６】
３Ｇ網側からメディアゲートウェイ５の間は回線交換Ｓｄ３１が使用され、メディアゲートウェイ５とＳＩＰ端末１２に間はインターネットプロトコルＳｄ３２が使用される。メディアゲートウェイ５でメディア／プロトコル変換処理が行われる。具体的には、メディアゲートウェイ５での変換処理はＡＭＲとＧ．７２３．１の変換処理、およびＭＰＥＧ４とＨ．２６３の変換処理を含む。
上記は、３Ｇ網側から発呼された場合が説明されたが、ＩＳＰ網６側から発呼された場合も同様であるので説明は省略される。
【００４７】
次に、図９、図１０を参照して、３Ｇ網側から発呼され３Ｇ網側に課金される場合で、３Ｇ網からの呼切断が行われる呼切断シーケンスが説明される。
３Ｇ網側とメディアゲートウェイ５の間で、Ｈ．２４５に例示されるＵ−Ｐｌａｎｅの通信制御プロトコルによる終了ネゴシエーション処理Ｓｅ１が行われる。
終了ネゴシエーション処理Ｓｅ１が終了すると、メディアゲートウェイ５は、Ｈ．２４５終結通知信号Ｓｆ１を、シグナリングゲートウェイ４に送信する。シグナリングゲートウェイ４は、ＳＩＰ端末１２に呼切断要求信号Ｓｆ２を送信し、ＳＩＰ端末１２はシグナリングゲートウェイ４へ、呼切断応答信号Ｓｆ３を返す。
【００４８】
さらに、終了ネゴシエーション処理Ｓｅ１が終了すると、３Ｇ網側からＱ．９３１のＤチャンネルを使用した切断（ＤＩＳＣ）信号Ｓｆ４が、３Ｇ網終端部３１に入力され、３Ｇ網終端部３１から切断信号を含むＱ．９３１通知Ｓｆ５がシグナリングゲートウェイ４に入力される。シグナリングゲートウェイ４は、Ｑ．９３１通知Ｓｆ５に応答して、開放（ＲＥＬ）信号を含むＱ．９３１通知Ｓｆ６を３Ｇ網終端部３１へ返す。３Ｇ網終端部３１からＱ．９３１のＤチャンネルを使用した開放（ＲＥＬ）信号Ｓｆ７が、３Ｇ網側に送信される。
３Ｇ網側では、開放（ＲＥＬ）信号Ｓｆ７に応答して開放完了（ＲＥＬ  ＣＯＭＰ）信号Ｓｆ８を、Ｑ．９３１のＤチャンネルを使用して、３Ｇ網終端部３１に返す。３Ｇ網終端部３１から、開放完了（ＲＥＬ  ＣＯＭＰ）信号を含むＱ．９３１通知がシグナリングゲートウェイ４に入力され、切断処理が完了する。
【００４９】
切断処理が完了すると、メディアゲートウェイ５は、Ｅｎｄ  ｔｏ  Ｅｎｄ（端末―端末）で通話した時にデータを変換した時間である変換処理時間を含む変換処理時間通知Ｓｇ１を、シグナリングゲートウェイ４に送信する。変換処理情報検出部２１により変換処理時間が検出される場合がある。シグナリングゲートウェイ４は、発側の端末ＩＤおよび着側の端末ＩＤを含む接続情報と変換処理時間を関連付けて保持する、もしくは、記憶部２５の変換処理データ２８に記憶する。
なお、変換処理時間の代わりに変換処理データ量が使用される場合がある。
【００５０】
発呼側の網の課金システム（ここでは、３Ｇ網内課金システム１３）は、発側の端末ＩＤの通話時間取得要求を、シグナリングゲートウェイ４に送信する。シグナリングゲートウェイ４は、通話時間を含む通話時間通知Ｓｇ４を、３Ｇ網内課金システム１３に送信する。
【００５１】
３Ｇ網内課金システム１３は、料金表に基づき通話料金を算出し、発呼した３Ｇ端末１の契約者に課金する。３Ｇ網内課金システム１３は、契約者から受領した金額の一部をＩＳＰ網６のＩＳＰ網内課金システムに送付するように構成することができる。このことにより、他の網からアクセスする場合に、料金が必要なＩＳＰ網６へのアクセスを許可するように構成することができる。
【００５２】
このように、ゲートウェイ３でのメディアゲートウェイ５のＥｎｄ  ｔｏ  Ｅｎｄ（端末―端末）の通話のデータ変換時間またはデータ量を検出し、発呼側の課金システムに送付することにより異種網間の通信の課金が可能である。さらに、能力交換が失敗した場合には課金が行なわれないように構成することができる。
【００５３】
なお、上記は３Ｇ網１１からの呼切断が行われる場合が説明されたが、呼切断が行われるのは、３Ｇ網側もしくはＩＳＰ網側のどちらからでも構わない。
【００５４】
次に、ＳＩＰ端末１２側からの発呼により通話が開始され、ＳＩＰ端末１２側に課金が行なわれる場合の、呼切断処理のシーケンスが、図１１、図１２を参照して説明される。本例ではＳＩＰ端末１２から、呼切断が行われる場合が説明される。ただし、呼切断が行われるのはＳＩＰ端末１２、３Ｇ網側のどちらでもよい。
【００５５】
ＳＩＰ端末１２からの呼切断要求信号Ｓｈ１が、シグナリングゲートウェイ４に入力される。シグナリングゲートウェイ４は呼切断要求信号Ｓｈ１に応答して、呼切断応答信号Ｓｈ２を、ＳＩＰ端末１２に返信する。さらに、シグナリングゲートウェイ４は呼切断要求信号Ｓｈ１に応答して、呼切断処理要求信号Ｓｈ３を、メディアゲートウェイ５に送信する。メディアゲートウェイ５は、呼切断処理要求信号Ｓｈ３によりＨ．２４５終了ネゴシエーション処理Ｓｉ１を行う。
さらに、シグナリングゲートウェイ４は、Ｇ３網終端部３１に変換終了要求信号Ｓｊ１を送信し、Ｇ３網終端部３１は、変換処理が終了していれば変換終了応答Ｓｊ２を、シグナリングゲートウェイ４に返信する。さらに、シグナリングゲートウェイ４は、メディアゲートウェイ５に、変換終了要求信号Ｓｊ３を送信し、メディアゲートウェイ５は、変換処理が終了していれば変換終了応答Ｓｊ４を、シグナリングゲートウェイ４に返信する。
【００５６】
さらに、シグナリングゲートウェイ４からＱ．９３１を使用した切断（ＤＩＳＣ）信号ＳＪ５が、３Ｇ網終端部３１に入力され、３Ｇ網終端部３１から、Ｑ．９３１のＤチャンネルを使用した切断（ＤＩＳＣ）信号Ｓｊ６が、３Ｇ網側に入力される。３Ｇ網側は、ＤＩＳＣ信号Ｓｊ６に応答して、開放（ＲＥＬ）信号Ｓｊ７をＱ．９３１のＤチャンネルを使用して、３Ｇ網終端部３１に返す。
３Ｇ網終端部３１から、開放（ＲＥＬ）信号を含むＱ．９３１通知Ｓｊ８が、シグナリングゲートウェイ４に送信される。
３Ｇ網終端部３１は、開放（ＲＥＬ）信号Ｓｊ７に応答して、Ｑ．９３１のＤチャンネルを使用した開放完了（ＲＥＬ  ＣＯＭＰ）信号Ｓｊ９を３Ｇ網側に返信する。さらに、３Ｇ網終端部３１は、開放完了（ＲＥＬ  ＣＯＭＰ）信号Ｓｊ９をシグナリングゲートウェイ４に送信し、シグナリングゲートウェイ４からＱ．９３１データ通知応答Ｓｊ１１が返信されることにより、Ｑ．９３１呼切断が完了する。
【００５７】
切断処理が完了すると、メディアゲートウェイ５は、Ｅｎｄ  ｔｏ  Ｅｎｄ（端末―端末）で通話した時にデータを変換した時間である変換処理時間を含む変換処理時間通知Ｓｋ１を、シグナリングゲートウェイ４に送信する。変換処理情報検出部２１により変換処理時間が検出される場合がある。シグナリングゲートウェイ４は、発側の端末ＩＤおよび着側の端末ＩＤも含む接続情報と変換処理時間を関連付けて保持する、もしくは、記憶部２５の変換処理データ２８に記憶する。
なお、変換処理時間の代わりに変換処理データ量が使用される場合がある。
【００５８】
発呼側の網の課金システム（ここでは、ＩＳＰ網内課金システム１４）は、発側の端末ＩＤの通話時間取得要求を、シグナリングゲートウェイ４に送信する。シグナリングゲートウェイ４は、通話時間を含む通話時間通知Ｓｋ４を、ＩＳＰ網内課金システム１４に送信する。
【００５９】
ＩＳＰ網内課金システム１４は、料金表に基づき通話料金を算出し、発呼したＳＩＰ端末１２の契約者に課金する。ＩＳＰ網内課金システム１４は、契約者から受領した金額の一部を３Ｇ網１１の３Ｇ網内課金システム１３に送付するように構成することができる。このことにより、他の網からアクセスする場合に、料金が必要な３Ｇ網１１へのアクセスを許可するように構成することができる。
さらに、他網への従量課金による支払いが可能である。
【００６０】
このように、ゲートウェイ３でのメディアゲートウェイ５のＥｎｄ  ｔｏ  Ｅｎｄ（端末―端末）の通話のデータ変換時間またはデータ量を検出し、発呼側の課金システムに送付することにより異種網間の通信の課金が可能である。さらに、能力交換が失敗した場合には課金が行なわれないように構成することができる。
【００６１】
なお、上記の信号の送受信方法は網および使用されるプロトコルにより決められ、上記の方法に限定されない。また、網内での通信は、それぞれの網内での通信プロトコルによるため詳細は省略される。
【００６２】
なお、図１３に示されるように、ゲートウェイ３と３Ｇ網１１がＩＳＤＮ網５２を経由して接続され、さらに、ゲートウェイ３がＩｎｔｅｒｎｅｔ網５０を経由して、ＩＳＰ網６と接続される場合がある。ＩＳＰ網６は、同じ網内もしくはＩｎｔｅｒｎｅｔ網５０で接続されたＩＳＰ網５２で接続された登録サーバ４２を具備し、グローバルＩＰとＵＲＬの変換を行う。さらに、ＳＩＰサーバ４０を具備する場合がある。
【００６３】
また、図１４に示されるように、ゲートウェイ３がＩＳＰ網６と接続され、さらに、ゲートウェイ３がＩＳＤＮ網５２を介して３Ｇ網１１と接続される場合がある。
【００６４】
上記のように、３Ｇ網１１とＩＳＤＮ網５２を有する業者が、ゲートウェイ３を設置し、他網との接続をすることも可能であるし、ＩＳＰ網６を有する業者がゲートウェイ３を設置し、他網との接続をすることも可能である。
【００６５】
なお、上記では画像および音声配信を行う携帯電話網を３Ｇ網１１として説明されているが、３Ｇ網１１に限定されず画像および／もしくは音声配信を行う電話網であれば適用可能である。さらに、Ｑ．９３１、ＡＭＲ、Ｇ．７３１．１、ＭＰＥＧ４、Ｈ．２６３、Ｈ．２４５などの規定は、それに限定されるものではなく同機能を含む規定であれば適用可能である。
【００６６】
上記のように、本発明では、異種網間での通話には、コーディック変換またはプロトコル変換が必要になるという点に着目している。コーディックまたはプロトコル変換は、能力交換が完了し、異種端末間で通話が可能となって初めて開始される動作であり、これが開始されたことは両者での通話が開始されたことを意味する。よって、メディアゲートウェイ５での変換処理時間を元に課金を行えば、能力交換のみで通話できなかった場合にも課金されるという問題を回避することができる。
さらに、異種網間の接続において両方向の網の接続状態を知り得るのは、両者をインターフェイスしているシグナリングゲートウェイ４とメディアゲートウェイ５のみである。本発明では、その点に着眼し、シグナリングゲートウェイ４での接続情報と、メディアゲートウェイ５での変換処理時間情報を元に課金システムを構築すれば、従量課金が可能である、もしくは、発呼側に接続により課金する課金システムがなくても課金することが可能である。さらに、他網にアクセスする場合に課金しなければならない場合のインターフェースを取ることができる。
さらに、変換処理はどの通信のデータを変換しているか検知可能であるので、パケット通信のように分割されたデータでも、それぞれの変換情報を検知し、合計することができる。
【００６７】
【発明の効果】
本発明の異種網間通信課金システムは、発呼側の端末が接続されるネットワークに、接続に対応して課金する課金システムがなくても、課金するための情報を作成することができる。
本発明の異種網間通信課金システムは、発呼側の端末が接続されるネットワークでは従量課金することが困難な場合に従量課金を可能とするための情報を作成することができる。
本発明の異種網間通信課金システムは、異種網間において、通話前に能力交換を行う場合に、能力交換が成功してから課金を行うための情報を作成することができる。
【図面の簡単な説明】
【図１】図１は、本発明における異種網間通信のシステムの概要を示す。
【図２】図２は、ゲートウェイの構成を示す。
【図３】図３は、呼接続シグナリング変換データの例を示す。
【図４】図４は、コーディック変換データの例を示す。
【図５】図５は、処理時間と発呼側ＩＤおよび応答側ＩＤが関連付けられた処理データの例を示す。
【図６】図６は、３Ｇ端末から発呼してＳＩＰ端末と接続する場合の呼接続処理シーケンスを示す。
【図７】図７は、３Ｇ端末から発呼してＳＩＰ端末と接続する場合の呼接続処理シーケンスを示す。（続き）
【図８】図８は、３Ｇ端末から発呼してＳＩＰ端末と接続する場合の呼接続処理シーケンスを示す。（続き）
【図９】図９は、３Ｇ網側から発呼され３Ｇ網側に課金される場合で、３Ｇ網からの呼切断が行われる呼切断シーケンスを示す。
【図１０】図１０は、３Ｇ網側から発呼され３Ｇ網側に課金される場合で、３Ｇ網からの呼切断が行われる呼切断シーケンスを示す。（続き）
【図１１】図１１は、ＳＩＰ端末側からの発呼により通話が開始され、ＳＩＰ端末側に課金が行なわれる場合の、呼切断処理のシーケンスを示す。
【図１２】図１２は、ＳＩＰ端末側からの発呼により通話が開始され、ＳＩＰ端末側に課金が行なわれる場合の、呼切断処理のシーケンスを示す。（続き）
【図１３】図１３は、他の形態の接続例を示す。
【図１４】図１４は、他の形態の接続例を示す。
【符号の説明】
１  ３Ｇ端末
２  信号
３  ゲートウェイ
４  シグナリングゲートウェイ
５  メディアゲートウェイ
６  ＩＳＰ網
７  信号
８  信号
９  変換処理情報
１０  信号
１１  ３Ｇ網
１２  ＳＩＰ端末
１３  ３Ｇ網内課金システム
１４  ＩＳＰ網内課金システム
１５  ＳＩＰ端末
１６  無線ＬＡＮ（発信機）
１７  ファイヤーウォールプロキシ
２０  演算部
２１  変換処理検出部（変換処置時間検出部／変換処理量検出部）
２６  呼接続シグナリング変換データ
２７  コーディック変換データ
２８  処理時間データ／処理量データ
３０  ＩＳＰ網終端部
３１  ３Ｇ網終端部
４０  ＳＩＰサーバ
４２  登録サーバ
５０  Ｉｎｔｅｒｎｅｔ網
５１  ＩＳＰ網
５２  ＩＳＤＮ網
【図１】
2004222009.tif 000003
【図２】
2004222009.tif 000004
【図３】
2004222009.tif 000005
【図４】
2004222009.tif 000006
【図５】
2004222009.tif 000007
【図６】
2004222009.tif 000008
【図７】
2004222009.tif 000009
【図８】
2004222009.tif 000010
【図９】
2004222009.tif 000011
【図１０】
2004222009.tif 000012
【図１１】
2004222009.tif 000013
【図１２】
2004222009.tif 000014
【図１３】
2004222009.tif 000015
【図１４】
2004222009.tif 000016